(57)【要約】【課題】操作部の操作が有効に反映されたか否かを確認可能としつつ、小型化及び製造コストの削減を実現する。【解決手段】押下スイッチ１７と、ロール紙１０を搬送する搬送部と、ロール紙１０に記録を行う記録部とを備え、押下スイッチ１７が操作された場合、当該押下に対応する画像を記録部によりロール紙１０に記録し、記録した画像が視認可能となるよう搬送部によりロール紙１０を搬送するようにした。【選択図】図１
2011093138.tif 000002
【特許請求の範囲】
【請求項１】
操作部と、紙を搬送する搬送部と、紙に記録を行う記録部とを備え、
前記操作部が操作された場合、当該操作に対応する画像を前記記録部により紙に記録し、記録した画像が視認可能となるよう前記搬送部により紙を搬送することを特徴とする記録装置。
【請求項２】
前記操作部に対する操作によって、複数のメニュー項目を有するメニュー内で、選択対象のメニュー項目を切り替え可能に構成され、
前記操作部が操作されて選択対象のメニュー項目が切り替えられる度に、切り替え後のメニュー項目を示す画像を前記記録部により紙に記録し、記録した画像が視認可能となるよう前記搬送部により紙を搬送することを特徴とする請求項１に記載の記録装置。
【請求項３】
前記操作部に対する操作によって、複数のメニュー項目を有するメニュー内で、選択対象のメニュー項目を切り替え可能に構成され、
前記操作部が操作されて選択対象のメニュー項目が切り替えられた場合であって、当該切り替えが直近のメニュー項目の切り替えから所定時間経過している場合、切り替え後のメニュー項目を示す画像を前記記録部により紙に記録し、記録した画像が視認可能となるよう前記搬送部により紙を搬送することを特徴とする請求項１に記載の記録装置。
【請求項４】
複数のＬＥＤを備え、
複数の前記ＬＥＤの発光の態様により選択対象のメニュー項目を報知することを特徴とする請求項２乃至３のいずれかに記載の記録装置。
【請求項５】
操作部と、紙を搬送する搬送部と、紙に記録を行う記録部とを備える記録装置を制御して、
前記操作部が操作された場合、当該操作に対応する画像を前記記録部により紙に記録し、記録した画像が視認可能となるよう前記搬送部により紙を搬送することを特徴とする記録装置の制御方法。
【請求項６】
操作部と、紙を搬送する搬送部と、紙に記録を行う記録部とを備える記録装置を制御する制御部により実行されるプログラムであって、
前記制御部を、
前記操作部が操作された場合、当該操作に対応する画像を前記記録部により紙に記録し、記録した画像が視認可能となるよう前記搬送部により紙を搬送するように機能させることを特徴とするプログラム。
【発明の詳細な説明】
【技術分野】
【０００１】
本発明は、操作部を備える記録装置、記録装置の制御方法、及び、プログラムに関する。
【背景技術】
【０００２】
従来、複数のメニュー項目が階層構造で管理された記録装置が知られている（例えば、特許文献１参照）。特許文献１に記載の記録装置は、液晶ディスプレーなどの表示装置と、入力ボタンやキースイッチ、十字キー等の操作スイッチとを備えており、ユーザーは、操作スイッチを操作することにより選択対象のメニュー項目を切り替えることができると共に、切り替えた後の選択対象のメニュー項目を表示装置により確認することができる。
【先行技術文献】
【特許文献】
【０００３】
【特許文献１】特開２００６−９１９８７号公報
【発明の概要】
【発明が解決しようとする課題】
【０００４】
上述したような記録装置のように、表示装置を備えている記録装置は、表示装置を備えていない記録装置と比較して、装置の小型化、及び、製造コストの削減の点で不利がある。しかしながら、この不利を解消するために表示装置を備えない構成とした場合、操作スイッチの操作が有効に反映されたか否かを確認できないという問題が発生する。
本発明は、上述した事情に鑑みてなされたものであり、操作スイッチの操作が有効に反映されたか否かを確認可能としつつ、小型化及び製造コストの削減を実現した記録装置を提供することを目的とする。
【課題を解決するための手段】
【０００５】
上記目的を達成するために、本発明は、操作部と、紙を搬送する搬送部と、紙に記録を行う記録部とを備え、前記操作部が操作された場合、当該操作に対応する画像を前記記録部により紙に記録し、記録した画像が視認可能となるよう前記搬送部により紙を搬送することを特徴とする。
この構成によれば、操作スイッチ等の操作部を操作した場合、当該操作に対応する画像がロール紙等の紙に記録され、かつ、記録した画像が視認可能となるように紙が搬送されるため、記録装置に液晶ディスプレー等の表示装置を設けることなく、操作スイッチに対する操作が有効に反映されているか否かを確認でき、かつ、表示装置を設けない分、記録装置の小型化、及び、製造コストの削減を実現できる。
【０００６】
ここで、上記発明の記録装置であって、前記操作部に対する操作によって、複数のメニュー項目を有するメニュー内で、選択対象のメニュー項目を切り替え可能に構成され、前記操作部が操作されて選択対象のメニュー項目が切り替えられる度に、切り替え後のメニュー項目を示す画像を前記記録部により紙に記録し、記録した画像が視認可能となるよう前記搬送部により紙を搬送するようにしてもよい。
この構成によれば、選択対象のメニュー項目が切り替えられる度に、切り替え後のメニュー項目を示す画像がロール紙等の紙に記録され、記録した画像が視認可能となるようにロール紙が搬送されるため、ユーザーは、スイッチ操作をしてメニュー項目を切り替える度に、切り替え後のメニュー項目を確認することができる。
【０００７】
また、上記発明の記録装置であって、前記操作部に対する操作によって、複数のメニュー項目を有するメニュー内で、選択対象のメニュー項目を切り替え可能に構成され、前記操作部が操作されて選択対象のメニュー項目が切り替えられた場合であって、当該切り替えが直近のメニュー項目の切り替えから所定時間経過している場合、切り替え後のメニュー項目を示す画像を前記記録部により紙に記録し、記録した画像が視認可能となるよう前記搬送部により紙を搬送するようにしてもよい。
この構成によれば、直近のメニュー項目の切り替えから所定時間経過した後にメニュー項目の切り替えが行われた場合に、ロール紙等の紙への画像の記録、及び、搬送を実行するため、選択対象のメニュー項目が切り替えられる度にロール紙への画像の記録、及び、搬送を実行する場合と比較し、ロール紙の画像の記録及び搬送に供する資源の利用を抑制することができ、かつ、直近のメニュー項目の切り替えから所定時間メニュー項目を行わないことにより、現時点における選択対象のメニュー項目を確実に確認可能である。
【０００８】
また、上記発明の記録装置であって、複数のＬＥＤを備え、複数の前記ＬＥＤの発光の態様により選択対象のメニュー項目を報知するようにしてもよい。
この構成によれば、ロール紙の画像の確認のみならず、複数のＬＥＤの発光の態様の確認により、選択対象のメニュー項目を確実かつ容易に確認できる。
【０００９】
また、上記目的を達成するために、本発明は、操作部と、紙を搬送する搬送部と、紙に記録を行う記録部とを備える記録装置を制御して、前記操作部が操作された場合、当該操作に対応する画像を前記記録部により紙に記録し、記録した画像が視認可能となるよう前記搬送部により紙を搬送することを特徴とする。
この制御方法によれば、操作スイッチ等の操作部を操作した場合、当該操作に対応する画像がロール紙等の紙に記録され、かつ、記録した画像が視認可能となるようにロール紙が搬送されるため、記録装置に液晶ディスプレー等の表示装置を設けることなく、操作スイッチに対する操作が有効に反映されているか否かを確認でき、かつ、表示装置を設けない分、記録装置の小型化、及び、製造コストの削減を実現できる。
【００１０】
また、上記目的を達成するために、本発明は、操作部と、紙を搬送する搬送部と、紙に記録を行う記録部とを備える記録装置を制御する制御部により実行されるプログラムであって、前記制御部を、前記操作部が操作された場合、当該操作に対応する画像を前記記録部により紙に記録し、記録した画像が視認可能となるよう前記搬送部により紙を搬送するように機能させることを特徴とする。
このプログラムを実行すれば、操作スイッチ等の操作部を操作した場合、当該操作に対応する画像がロール紙等の紙に記録され、かつ、記録した画像が視認可能となるようにロール紙が搬送されるため、記録装置に液晶ディスプレー等の表示装置を設けることなく、操作スイッチに対する操作が有効に反映されているか否かを確認でき、かつ、表示装置を設けない分、記録装置の小型化、及び、製造コストの削減を実現できる。
【発明の効果】
【００１１】
本発明によれば、操作スイッチを操作して、複数のメニューから所望のメニューを選択する記録装置であって、迅速、かつ、簡便に所望のメニューの選択が可能となる。
【図面の簡単な説明】
【００１２】
【図１】第１実施形態に係るプリンターの外観斜視図である。
【図２】プリンターの機能的構成を示すブロック図である。
【図３】選択押下回数テーブルを示す図である。
【図４】プリンターの動作を示すフローチャートである。
【図５】ＬＥＤ発光態様テーブルを示す図である。
【図６】選択対象のメニュー項目を示す画像が記録されたロール紙を示す図。
【図７】第２実施形態に係るプリンターの動作を示すフローチャートである。
【発明を実施するための形態】
【００１３】
以下、図面を参照して本発明の実施形態について説明する。
＜第１実施形態＞
図１は、本発明を適用した実施形態に係るプリンター２の外観斜視図である。
この図１に示す記録装置としてのプリンター２は、本体１１にロール紙１０を収容し、ロール紙１０を搬送しながら、本体１１に内蔵するサーマルヘッド（図示略）によってロール紙１０に文字や画像を印刷するサーマルラインプリンターである。本体１１には開閉可能なカバー１２が設けられ、レバー１３を押し下げることでカバー１２が開放される。カバー１２を開くと、本体１１内においてロール紙１０を収容する空間が露出し、ロール紙１０の補充、交換を行える。
プリンター２は、ロール紙１０に対し、予め用意されたロゴマークと文字を印刷（記録）することにより、例えば小売店におけるレシートを印刷出力する。
【００１４】
また、プリンター２の本体１１の上面には、印刷後のロール紙１０を排出する排紙口１４が形成されている。プリンター２は、排紙口１４が前を向くように設置することも可能である。排紙口１４内にはロール紙１０をカットするためのカット刃１５が設けられている。本体１１には、プリンター２の電源をオン／オフさせる電源スイッチ１６、紙送り動作の指示や動作モードの切り替え等の操作を行うための押下スイッチ１７（操作スイッチ）、及び、プリンター２の動作状態等を表示するためのＬＥＤ表示部１８が設けられている。ＬＥＤ表示部１８は、第１ＬＥＤ４１、第２ＬＥＤ４２、及び、第３ＬＥＤ４３を備えている。
このように、本実施形態に係るプリンター２は、電源スイッチ１６の他は、操作スイッチとして押下スイッチ１７のみを備えている。また、プリンター２は、液晶ディスプレーや等の表示装置を備えていない。このため、操作スイッチを複数有するプリンターや、表示装置を有するプリンターと比較して、小型化や製造コストの削減を実現できる。
【００１５】
図２は、実施形態に係る印刷システム１の構成を示すブロック図である。
この印刷システム１は、プリンター２にホストコンピューター４を接続して構成され、ホストコンピューター４の制御に従ってプリンター２によって上記のレシート等を作成するシステムである。
【００１６】
プリンター２は、実際の印刷を行うプリントエンジン２０と、プリンター２の全体を制御する制御部２１と、制御部２１が実行する基本制御プログラムを記憶したＲＯＭ２２と、制御部２１が実行する制御プログラム等を記憶したＥＥＰＲＯＭ２４と、ホストコンピューター４から送信されるコマンドの受信制御を行う受信制御部２５と、ホストコンピューター４から受信したコマンドやデータ列を一時的に記憶する受信バッファー２６と、押下スイッチ１７における操作を検出する入力部２７と、第１ＬＥＤ４１、第２ＬＥＤ４２、及び、第３ＬＥＤ４３の発光制御を行う表示部２８と、を備えている。
制御部２１は、ＣＰＵや、実行するプログラムやデータ等を一時的に記憶するワークエリアとしてのメモリーを内蔵し、マイクロコンピューターとして機能し、ＲＯＭ２２に記憶された基本制御プログラムや、ＥＥＰＲＯＭ２４に記憶された制御プログラム２４Ａを実行する。また、制御部２１は、図示せぬ発振器が生成した基準クロックに基づいて各種計時動作を実行可能であり、特に、入力部２７から入力された押下スイッチ１７に対する押下の検出信号に基づいて、直近の押下スイッチ１７の押下が行われてからの時間を計時可能である。
【００１７】
プリントエンジン２０は、制御部２１の制御に従って、ホストコンピューター４から送信された印刷用データやコマンドに基づき、ロール紙１０に印刷する文字や画像を作成し、プリンター２が備える印刷機構を制御して、ロール紙１０に印刷を行う。具体的には、プリンター２は、ロール紙１０の印刷面に熱を与える印刷ヘッド、ロール紙１０に対して印刷ヘッドを移動させる印刷ヘッド駆動機構、ロール紙１０を搬送する搬送機構等を備え、これら印刷ヘッド及び各種機構がプリントエンジン２０によって制御される。本実施形態では、印刷ヘッド、及び、印刷ヘッド駆動機構がロール紙１０に画像を記録する記録部として機能し、搬送機構がロール紙１０を搬送する搬送部として機能する。
【００１８】
ＲＯＭ２２は、制御部２１によってプリンター２の各部を初期化するとともに、これらの各部を制御するための基本制御プログラム、及び、この基本制御プログラムに係るデータ等を不揮発的に記憶する。
ＥＥＰＲＯＭ２４は、書き換え可能な不揮発性の記憶装置であり、制御部２１によってプリンター２の各部を制御するための制御プログラム２４Ａを記憶する。このほか、ＥＥＰＲＯＭ２４は、選択押下回数テーブル３０と、ＬＥＤ発光態様テーブル４５と、を記憶する。これらテーブルについては、後述する。
【００１９】
受信制御部２５は、ホストコンピューター４との間で所定の通信プロトコルを実行し、ホストコンピューター４から送信される信号を受信し、受信した信号を復調（デコード）してコマンドやデータ列を生成し、受信バッファー２６に順次記憶する。受信制御部２５は、例えば、通信ケーブルが接続されるコネクターと通信回路、或いは、無線通信回路とアンテナ等を備えている。
受信バッファー２６は、受信制御部２５が出力したコマンドやデータ列を順次記憶する一時記憶装置であり、この受信バッファー２６に記憶されているコマンドやデータ列は、制御部２１によって取得される。
プリンター２は、受信制御部２５により受信したコマンドが印刷ジョブの実行を指示するコマンドであって、このコマンドに続いて印刷データを受信した場合に、印刷ジョブを実行する。
表示部２８は、第１ＬＥＤ４１、第２ＬＥＤ４２、及び、第３ＬＥＤ４３に接続され、制御部２１の制御の下、これらＬＥＤの発光制御を行う。第１ＬＥＤ４１、第２ＬＥＤ４２、及び、第３ＬＥＤ４３のそれぞれは、点灯、点滅、消灯の３つの態様での発光が可能であり（説明の便宜上、「消灯」も発光の１態様とする）、それぞれのＬＥＤの発光の組み合わせにより、プリンター２の動作や状態を報知する。さらに、詳細は後述するが、動作モードが設定モードに移行している間は、第１ＬＥＤ４１、及び、第２ＬＥＤ４２の２つのＬＥＤによって、現時点における選択対象のメニュー項目を報知する。
【００２０】
本実施形態に係るプリンター２は、ホストコンピューター４との接続状態が解除され、スタンドアローンの状態であっても、ロール紙１０の種類の選択を行うための機能や、ロール紙１０に記録される印字濃度の設定をするための機能、ロール紙１０の幅の設定をするための機能等の予め用意された機能を選択的に実行できる構成となっている。なお、ここでのユーザーは、プリンター２を使用する者の他、プリンター２のメンテナンス担当者、修理担当者等を含む概念である。
具体的には、予め用意された機能の中の１の機能を実行する場合、まず、ユーザーは、プリンター２の動作モードを設定モードに移行させる。設定モードへの移行は、予め定められた特定の操作（例えば、押下スイッチ１７が押下された状態で電源スイッチ１６がオンされる等の操作）がプリンター２に対してなされることによって行われる。
動作モードを設定モードに移行させた後、ユーザーは、押下スイッチ１７を押下操作して、自身が実行したい機能に対応するメニュー項目を選択し、これにより当該機能を実行する。
【００２１】
ここで、メニュー項目を選択する際のユーザーの動作について詳述すると、本実施形態では、ユーザーによる押下スイッチ１７の押下の態様として、継続して押下された時間に応じて、選択押下、及び、決定押下の２つの態様が規定されている。
選択押下は、継続して押下された時間が２秒未満の押下である。
決定押下は、継続して押下された時間が、２秒以上の押下である。
そして、本実施形態では、選択押下が行われた回数と、当該回数だけ選択押下が行われた後に決定押下が行われた場合に選択されるメニュー項目が予め定められており、当該定めは、マニュアルへの記載等の方法によりユーザーによって予め認識されている状態となっている。なお、１つのメニュー項目と、１つの機能が対応関係にあり、メニュー項目が選択されることにより、当該メニュー項目に対応する機能が実行される。
ユーザーは、プリンター２に１の機能を実行させる場合、当該１の機能に対応するメニュー項目を認識し、この認識に基づいて当該メニュー項目を選択するために行うべき操作、例えば、選択押下を６回行った後に決定押下を行う等の操作を認識した上で、当該操作を行う。これにより、当該メニュー項目が選択され、当該メニュー項目と対応する機能が実行される。
【００２２】
次いで、メニュー項目選択時におけるプリンター２の動作について説明する。
図３は、選択押下回数テーブル３０の構成を模式的に示す図である。
図３に示すように、選択押下回数テーブル３０の１件のレコードには、選択押下回数フィールド３１と、メニュー項目フィールド３２と、が含まれている。
選択押下回数フィールド３１には、押下スイッチ１７が決定押下される前に選択押下された回数を示す選択押下回数データが格納される。
メニュー項目フィールド３２には、対応する選択押下回数フィールド３１に格納された選択押下回数データが示す選択押下の回数だけ押下スイッチ１７が押下された後に、決定押下が行われた場合に、選択されるメニュー項目を示すメニュー項目データが格納される。
図３に示すように、選択押下回数テーブル３０では、選択押下の回数に対応して、所定の順番でメニュー項目が順番に並べられた状態となっている。また、メニューとは、選択押下の回数に対応して、所定の順番でメニュー項目が並べられている状態をいう。
【００２３】
上述したように、ユーザーは、１の機能を実行する場合、当該１の機能に対応したメニュー項目を選択するべく、所定の回数だけ選択押下を行った後、決定押下を行う。その際、プリンター２の制御部２１は、決定押下に至るまでに行われた選択押下の回数をカウントしておき、決定押下が行われた時点で、選択押下回数テーブル３０を参照し、カウントした選択押下の回数を示す選択押下回数データが選択押下回数フィールド３１に格納されているレコードを特定する。そして、制御部２１は、特定したレコードのメニュー項目フィールド３２に格納されているメニュー項目データを取得し、取得したメニュー項目データが示すメニュー項目に対応する機能を実現するためのプログラムを読み出し、実行する。この場合における制御部２１の動作を換言すれば、制御部２１は、選択押下が行われる度に、選択対象のメニュー項目を順番に切り替え、決定押下が行われた時点で、現在の選択対象のメニュー項目に対応する機能を実行する。なお、「選択対象のメニュー項目」とは、決定押下がなされる直前までに行われた選択押下の回数を示す選択押下回数データと対応づけて記憶されたメニュー項目データが示すメニュー項目のことを言う。従って、決定押下が行われた場合、その時点での選択対象のメニュー項目が、選択されたメニュー項目として確定し、当該メニュー項目に対応する機能が実行される。
【００２４】
ところで、図３に示すように、本実施形態に係るプリンター２は、液晶ディスプレー等の表示装置を備えていないため、動作モードが設定モードに移行している際に、ユーザーが選択押下を行い、この選択押下に伴って選択対象のメニュー項目が切り替わった場合であっても、ユーザーは、表示装置を介して切り替え後の選択対象のメニュー項目を確認することができない。上述したように、ユーザーは、マニュアル等を通して、選択押下の回数と、当該回数だけ選択押下を行った後に決定押下を行った場合に選択されるメニュー項目とを事前に認識しているものの、自身が何回選択押下を押したのかが分からなくなったり、回数を忘れたりすることにより、現時点の選択対象のメニュー項目が把握できなくなる場合があった。
これを踏まえ、本実施形態に係るプリンター２は、以下の動作を実行することにより、表示装置を設けることなく、プリンター２の小型化、製造コストの削減を実現した上で、ユーザーが現時点における選択対象のメニュー項目を確認できるようにしている。
【００２５】
図４は、プリンター２の動作を示すフローチャートである。
図４のフローチャートの動作は、ＲＯＭ２２に記憶された制御プログラム２４Ａを制御部２１が実行する等、ハードウェアとソフトウェアとの協働によって実現される。
また、図４のフローチャートの動作の開始時には、動作モードが設定モードに移行しているものとする。
まず、プリンター２の制御部２１は、入力部２７から入力された信号に基づいて、ユーザーによって押下スイッチ１７が押下されたか否かを監視する（ステップＳＡ１）。ユーザーにより押下スイッチ１７が押下された場合（ステップＳＡ１：ＹＥＳ）、制御部２１は、現時点までに選択押下がなされた回数を取得する（ステップＳＡ２）。現時点までに既に行われた選択押下の回数は、例えば、制御プログラム２４Ａ上に定義された変数にデータとして格納されている。
次いで、制御部２１は、選択押下回数テーブル３０を参照し（ステップＳＡ３）、選択対象のメニュー項目を取得する（ステップＳＡ４）。具体的には、制御部２１は、現時点までに選択押下がなされた回数を示す選択押下回数データが選択押下回数フィールド３１に格納されているレコードを特定し、特定したレコードのメニュー項目フィールド３２に格納されているメニュー項目データが示すメニュー項目を、選択対象のメニュー項目として取得する。
次いで、制御部２１は、ＬＥＤ発光態様テーブル４５を参照する（ステップＳＡ５）。
【００２６】
図５は、ＬＥＤ発光態様テーブル４５の構成を示す図である。
本実施形態では、現時点における選択対象のメニュー項目に応じて、第１ＬＥＤ４１、及び第２ＬＥＤ４２が異なる発光態様で発光する。そして、ＬＥＤ発光態様テーブル４５では、メニュー項目と、当該メニュー項目が選択対象のメニュー項目である場合の第１ＬＥＤ４１、及び第２ＬＥＤ４２の発光態様とを対応づけて記憶している。
ＬＥＤ発光態様テーブル４５の１件のレコードには、メニュー項目フィールド４６と、第１ＬＥＤ発光態様フィールド４７と、第２ＬＥＤ発光態様フィールド４８と、点滅動作フィールド４９とが含まれている。
メニュー項目フィールド４６には、メニュー項目を示すメニュー項目データが格納される。
第１ＬＥＤ発光態様フィールド４７には、第１ＬＥＤ４１の発光態様を示す第１発光態様データが格納される。上述したように、第１ＬＥＤ４１の発光態様には、点灯、点滅、及び、消灯の３つの発光態様がある。第２ＬＥＤ発光態様フィールド４８には、第２ＬＥＤ４２の発光態様を示す第２発光態様データが格納される。上述したように、第１ＬＥＤ４１、及び、第２ＬＥＤ４２の発光態様には、点灯、点滅、及び、消灯の３つの発光態様がある。
点滅動作フィールド４９には、第１ＬＥＤ４１と、第２ＬＥＤ４２とを共に点滅させる場合に、これらＬＥＤを異なるタイミングで点滅させるのか、又は、同タイミングで点滅させるのかを示すデータが格納される。図６の例では、１件目のレコードの点滅動作フィールド４９には、これらＬＥＤを異なるタイミングで点滅させることを示すデータが格納されており、２件目のレコードの点滅動作フィールド４９には、これらＬＥＤを同タイミングで点滅させることを示すデータが格納されている。
ここで、メニュー項目と、当該メニュー項目が選択対象のメニュー項目である場合における第１ＬＥＤ４１及び第２ＬＥＤ４２の発光態様とがマニュアル等に記載されており、ユーザーは、第１ＬＥＤ４１及び第２ＬＥＤ４２の発光態様を視認することにより、現時点における選択対象のメニュー項目を確認できる。
【００２７】
ステップＳＡ５でＬＥＤ発光態様テーブル４５を参照した後、制御部２１は、ステップＳＡ４で取得した選択対象のメニュー項目に基づいて、第１ＬＥＤ４１、及び、第２ＬＥＤ４２の発光態様を取得する（ステップＳＡ６）。具体的には、選択対象のメニュー項目を示すメニュー項目データがメニュー項目フィールド４６に格納されているレコードを特定し、特定したレコードの第１ＬＥＤ発光態様フィールド４７、第２ＬＥＤ発光態様フィールド４８、及び、点滅動作フィールド４９に格納されている各データを取得し、これらデータが示す第１ＬＥＤ４１、及び、第２ＬＥＤ４２の態様を取得する。
次いで、制御部２１は、プリントエンジン２０を制御して、ステップＳＡ４で取得した、選択対象のメニュー項目を示す画像をロール紙１０に記録すると共に、ロール紙１０の画像を記録した部分が排紙口１４から排出され、ロール紙１０に記録された選択対象のメニュー項目を示す画像がユーザーによって視認可能となるまで、ロール紙１０を搬送する（ステップＳＡ７）。
【００２８】
図６は、選択対象のメニュー項目を示す画像が記録されたロール紙１０の状態の１例を示す図である。
図６に示すようなロール紙１０に記録された選択対象のメニュー項目を示す画像を視認することにより、ユーザーは、現時点における選択対象のメニュー項目を確認できる。
【００２９】
次いで、制御部２１は、ステップＳＡ６で取得した第１ＬＥＤ４１、及び、第２ＬＥＤ４２の発光態様で、第１ＬＥＤ４１、及び、第２ＬＥＤ４２を発光する（ステップＳＡ８）。これにより、現時点における選択対象のメニュー項目に応じた発光態様で第１ＬＥＤ４１、及び、第２ＬＥＤ４２が発光し、ユーザーは、第１ＬＥＤ４１、及び、第２ＬＥＤ４２を視認することにより、現時点における選択対象のメニュー項目を確認できる。
次いで、制御部２１は、処理手順をステップＳＡ１へ戻す。
【００３０】
以上説明したように、本実施形態に係るプリンター２は、押下スイッチ１７が押下された場合、当該押下に対応する画像をロール紙１０に記録し、記録した画像が視認可能となるよう搬送する。
これによれば、押下スイッチ１７を押下した場合、当該押下に対応する画像がロール紙に記録され、かつ、記録した画像が視認可能となるようにロール紙１０が搬送されるため、プリンター２に液晶ディスプレー等の表示装置を設けることなく、押下スイッチ１７に対する操作が有効に反映されているか否かを確認でき、かつ、表示装置を設けない分、記録装置の小型化、及び、製造コストの削減を実現できる。
【００３１】
また、本実施形態に係るプリンター２は、押下スイッチ１７が操作されて選択対象のメニュー項目が切り替えられる度に、切り替え後のメニュー項目を示す画像をロール紙１０に記録し、記録した画像が視認可能となるようロール紙１０を搬送する。
これによれば、選択対象のメニュー項目が切り替えられる度に、切り替え後のメニュー項目を示す画像がロール紙１０に記録され、記録した画像が視認可能となるようにロール紙１０が搬送されるため、ユーザーは、選択押下をしてメニュー項目を切り替える度に、切り替え後のメニュー項目を確認することができる。
【００３２】
また、本実施形態に係るプリンター２は、複数の第１ＬＥＤ４１、第２ＬＥＤ４２を備え、これらＬＥＤの発光の態様により選択対象のメニュー項目を報知する。
これによれば、ロール紙１０の画像の確認のみならず、複数のＬＥＤの発光の態様の確認により、選択対象のメニュー項目を確実かつ容易に確認できる。
【００３３】
＜第２実施形態＞
次いで、第２実施形態について説明する。
本実施形態に係るプリンター２ｂの構成は、第１実施形態に係るプリンター２の構成と同一のため、図１及び図２を援用し、その説明を省略する。
図７は、本実施形態に係るプリンター２ｂの動作を示すフローチャートである。
図４と図７との比較で明らかなように、本実施形態は、ステップＳＢ１の処理を行う点で、第１実施形態と異なっている。
図７を参照して、ステップＳＡ６の処理後、プリンター２ｂの制御部２１は、ステップＳＡ１で検出された押下スイッチ１７の押下が、直近の押下スイッチ１７の押下から所定時間経過した後になされたか否かを判別する（ステップＳＢ１）。ここで直近の押下スイッチ１７の押下とは、ステップＳＡ１で検出された押下スイッチ１７の押下の１つ前に行われた押下スイッチ１７の押下である。所定時間経過している場合（ステップＳＢ１：ＹＥＳ）、制御部２１は、処理手順をステップＳＡ７に移行して、ロール紙１０への画像の記録、及び、搬送を実行する。一方、所定時間経過していない場合（ステップＳＢ１：ＮＯ）、制御部２１は、処理手順をステップＳＡ８へ移行する。
【００３４】
このような動作を実行することにより、押下スイッチ１７の押下が直近の押下スイッチ１７の押下から所定時間経過した場合に、ロール紙１０への選択対象のメニュー項目を示す画像の記録、及び、ロール紙１０の搬送が行われ、所定時間経過していない場合は、これら記録、搬送が行われないこととなる。
ここで、押下スイッチ１７が短い間隔で選択押下されている場合は、ユーザーは、自身が行った選択押下の回数を把握し、この把握に有る程度の確信を持っているため、ためらうことなく短い間隔で押下スイッチ１７を選択押下していると考えられる。一方で、直近の押下スイッチ１７の選択押下から長い時間を経て押下スイッチ１７が選択押下された場合、ユーザーは、自身が行った選択押下の回数が分からなくなってしまい、押下スイッチ１７の選択押下をためらっている可能性がある。これを踏まえ、押下スイッチ１７の押下が、直近の押下スイッチ１７の押下から所定時間経過した場合にのみ、ロール紙１０への選択対象のメニュー項目を示す画像の記録、及び、ロール紙１０の搬送することにより、記録、搬送に供する資源の利用の抑制を図りつつ、ユーザーが、自身が行った選択押下の回数が分からなくなり、従って、選択対象のメニュー項目が分からなくなってしまった可能性がある状況下では、確実に、ユーザーに、現時点における選択対象のメニュー項目を報知することができる。また、ユーザーは、直近の選択押下から所定時間経過した後選択押下を行うことにより、現時点における選択対象のメニュー項目を確認することができる。
【００３５】
以上説明したように、本実施形態に係るプリンター２ｂは、押下スイッチ１７が選択押下されて選択対象のメニュー項目が切り替えられた場合であって、当該切り替えが直近のメニュー項目の切り替えから所定時間経過している場合、切り替え後のメニュー項目を示す画像をロール紙１０に記録し、記録した画像が視認可能となるようロール紙１０を搬送する。
これによれば、直近のメニュー項目の切り替えから所定時間経過した後にメニュー項目の切り替えが行われた場合に、ロール紙１０への画像の記録、及び、搬送を実行するため、選択対象のメニュー項目が切り替えられる度にロール紙１０への画像の記録、及び、搬送を実行する場合と比較し、ロール紙１０の画像の記録及び搬送に供する資源の利用を抑制することができ、かつ、直近のメニュー項目の切り替えから所定時間メニュー項目を行わないことにより、現時点における選択対象のメニュー項目を確実に確認可能である。
【００３６】
なお、上述した実施の形態は、あくまでも本発明の一態様を示すものであり、本発明の範囲内で任意に変形および応用が可能である。
例えば、上述した実施形態では、設定モードに移行時、絶えず、現時点における選択対象のメニュー項目に対応して、第１ＬＥＤ４１、第２ＬＥＤ４２を発光し、これらＬＥＤによってユーザーに現時点における選択対象のメニュー項目を報知していたが、例えば、紙切れのときや、発光を指示された場合に、これらＬＥＤによって現時点における選択対象のメニュー項目を報知するようにしてもよい。
また、図６で選択対象のメニュー項目を示す画像が記録されたロール紙１０の一例を示したが、ロール紙１０に記録される画像は図６に示した画像に限らないのは勿論であり、また、ＬＥＤの発光態様は、図５に示すＬＥＤ発光態様テーブル４５が示す発光態様に限らないのは勿論である。
【符号の説明】
【００３７】
２、２ｂ…プリンター、１０…ロール紙、１７…押下スイッチ（操作スイッチ）、４１…第１ＬＥＤ、４２…第２ＬＥＤ、４３…第３ＬＥＤ。
【図１】
2011093138.tif 000003
【図２】
2011093138.tif 000004
【図３】
2011093138.tif 000005
【図４】
2011093138.tif 000006
【図５】
2011093138.tif 000007
【図６】
2011093138.tif 000008
【図７】
2011093138.tif 000009